(57)【特許請求の範囲】
【請求項１】
少なくともマルチメディアポート用機器が収容されて、壁に取り付けられるマルチメディアポート用ボックスであって、
機器が収容されるボックス本体と、ボックス本体の前面を覆うカバーとを備え、
前記ボックス本体は、取り付けられる壁内に嵌り込むように配置される奥側機器収容部と、取り付けられる壁から突出して配置される前側機器収容部とを有し、奥側機器収容部と前側機器収容部とが収容された機器間を接続可能とする接続用孔が穿設された仕切り壁を介して仕切られているとともに、前側機器収容部の側壁面には、通気孔が穿設されていることを特徴とするマルチメディアポート用ボックス。
【請求項２】
通気孔が、前側機器収容部の内側から外側に向かって取り付けられる壁から離れる方向に向かって形成されている請求項１に記載のマルチメディアポート用ボックス。
【請求項３】
機器の下端部を弾性嵌合状態でクランプするクランプ部と、このクランプ部を前側機器収容部の壁面から浮き上がった状態で支持するとともに、下端が前側機器収容部の壁面に設けられた固定部に係合固定される脚部とを有する機器支持部材を備えている請求項１または請求項２に記載のマルチメディアポート用ボックス。
【請求項４】
機器支持部材の脚部がクランプ部の下端から平行に延出するとともに、長手方向に完結的に通気孔が穿設された一対の板状体から形成されている請求項３に記載のマルチメディアポート用ボックス。
【請求項５】
機器支持部材の脚部下端に係合突部が設けられ、前側機器収容部の壁面に前記係合突部が嵌合し、機器支持部材を係合固定可能な通気孔が穿設されている請求項３または請求項４に記載のマルチメディアポート用ボックス。
【請求項６】
仕切り壁に機器間を接続するコードの余長を巻き付ける余長コード係止フックを有する請求項１〜請求項４にいずれかに記載のマルチメディアポート用ボックス。
【請求項７】
少なくともマルチメディアポート用機器が収容されて、壁に取り付けられるマルチメディアポート用ボックスであって、前面側に開口を有し、壁内に嵌り込むように配置される奥側機器収容部と、この奥側機器収容部の前記開口を開閉自在な蓋と、取り付けられる壁から突出して配置され、上部開口の棚状をした前側機器収容部とを有することを特徴とするマルチメディアポート用ボックス。
【請求項８】
蓋が閉状態でその下端部を前側機器収容部に受けられるとともに、前側機器収容部の蓋の下端を受ける蓋受け部が、前側機器収容部本体との間に２枚の弾性パッキンを介在させた状態で前側機器収容部本体に着脱自在に設けられている請求項７に記載のマルチメディアポート用ボックス。
【請求項９】
蓋が閉状態でその下端部を前側機器収容部に受けられるとともに、蓋の下端部および前側機器収容部の蓋受け部に、それぞれ弾性パッキンが添設されている請求項７に記載のマルチメディアポート用ボックス。
【請求項１０】
前側機器収容部が、閉状態で蓋の下端を表面が面一になる状態で受ける蓋受け部材と交換自在になっている請求項７〜請求項９にいずれかに記載のマルチメディアポート用ボックス。
【請求項１１】
請求項１〜請求項１０のいずれかに記載のマルチメディアポート用ボックスの前側機器収容部にルーター、光回線終端装置が収容され、奥部機器収容部にＨＵＢ，光コネクタが収容されていることを特徴とするマルチメディアポート。
【発明の詳細な説明】
【技術分野】
【０００１】
本発明は、マルチメディアポート用ボックスおよびこのマルチメディアポート用ボックスを用いたマルチメディアポートに関する。
【背景技術】
【０００２】
光ファイバーを介して各戸に送られてきた情報を各部屋のマルチメディアコンセント（図示せず）へ分配するための装置として、図１９に示すようなマルチメディアポート１００が上市されている。
しかし、このマルチメディアポート１００は、図１９に示すように、ルーター２００や光回線終端装置（Optical Network Unit、以下「ＯＮＵ」と記す）３００などの装置が別体になっているため、マルチメディアポート１００を固定した壁の近隣にルーター２００やＯＮＵ３００を載置する棚４００を別途設けるか、ルーター２００やＯＮＵ３００を載置する棚４００の近隣の壁にマルチメディアポート１００を固定するかしなければならず、見栄えが悪いとともに、施工性が悪い、あるいは、設置場所に制約があるという問題がある。
【０００３】
そこで、ルーターやＯＮＵ等をボックス内に収容できるようにしたマルチメディアポートが提案されている（特許文献１参照）。
すなわち、このマルチメディアポートの場合、ルーターやＯＮＵ等をボックス内に収容できるようにしたので、別途ルーターやＯＮＵ等を載せる棚が不要となり、施工が容易であるとともに、見栄えがよくなるという利点がある。
【０００４】
しかしながら、ボックスをルーターやＯＮＵ等の収納スペースを備えた大きなものとすると、マルチメディアポートの設置面積が大きくなる、あるいは、室内壁面から大きく突出するため、邪魔になるという問題がある。
【０００５】
一方、ボックスの厚みを厚くして室内側の面積を小さくして、ボックスの一部を室内壁内部に嵌り込むように取り付けるようにすれば、設置面積を小さく、室内壁面からの突出量も抑えることができる。しかし、ルーターやＯＮＵなどの機器は、発熱量が大きいため、ボックスの一部を室内壁内部に嵌め込んでしまうと、熱がボックス内に籠り、他の機器を傷めてしまう恐れがある。また、熱を室内に逃がすために室内側に通気孔を設けると、室内の気密性が確保できず、室内の冷暖房効率を低下させる恐れがある。
【０００６】
【特許文献１】特開２００６−１２０７４１号公報
【発明の開示】
【発明が解決しようとする課題】
【０００７】
本発明は、上記事情に鑑みて、ルーターやＯＮＵなどの機器を収容可能で、一部を室内壁内部に嵌り込むように設置しても、これらの機器の発する熱がボックス内に籠もらず、またボックスを介して室内の熱が室内壁の裏側まで逃げ出ることを防止することができるマルチメディアポート用ボックスおよびマルチメディアポートを提供することを目的としている。
【課題を解決するための手段】
【０００８】
上記目的を達成するために、本発明の請求項１に記載のマルチメディアポート用ボックス（以下、「本発明１のマルチメディアポート用ボックス」と記す）は、少なくともマルチメディアポート用機器が収容されて、壁に取り付けられるマルチメディアポート用ボックスであって、機器が収容されるボックス本体と、ボックス本体の前面を覆うカバーとを備え、前記ボックス本体は、取り付けられる壁内に嵌り込むように配置される奥側機器収容部と、取り付けられる壁から突出して配置される前側機器収容部とを有し、奥側機器収容部と前側機器収容部とが収容された機器間を接続可能とする接続用孔が穿設された仕切り壁を介して仕切られているとともに、前側機器収容部の側壁面には、通気孔が穿設されていることを特徴としている。
【０００９】
本発明１のマルチメディアポート用ボックスにおいて、前側機器収容部の側壁面に設けられる通気孔は、特に限定されないが、  前側機器収容部内から通気孔を介して排気される空気が取り付けられる壁に直接あたらないようにすることが好ましい。
上記のように、通気孔を介して排気される空気が取り付けられる壁に直接あたらないようにする方法としては、特に限定されず、たとえば、通気孔を取り付けられる壁からできるだけ離れた位置に設ける方法でも構わないが、前側機器収容部の内側から外側に向かって取り付けられる壁から離れる方向に向かって形成する、すなわち、がらり構造とすることが好ましい。
【００１０】
前側機器収容部内に収容される機器としては、特に限定されないが、ルーター、ＯＮＵ等の発熱性が高い機器が挙げられ、これらの機器は、機器支持部材を介して前側機器収容部の内部に壁面から浮かした状態で固定されることが好ましい。
前側機器収容部に収容される機器の固定方法としては、特に限定されないが、機器の下端部を弾性嵌合状態でクランプするクランプ部と、このクランプ部を前側機器収容部の壁面から浮き上がった状態で支持するとともに、下端が前側機器収容部の壁面に設けられた固定部に係合固定される脚部とを有する機器支持部材を介して固定することが好ましい。
【００１１】
また、機器支持部材の脚部がクランプ部の下端から平行に延出するとともに、長手方向に完結的に通気孔が穿設された一対の板状体から形成されていることが好ましく、機器支持部材の脚部下端に係合突部が設けられ、前側機器収容部の壁面に前記係合突部が嵌合し、機器支持部材を係合固定可能な通気孔が穿設されていることが好ましい。
機器支持部材の材質としては、特に限定されず、合成樹脂あるいはアルミニウム等の軽量金属材料が挙げられる。
また、仕切り壁には、仕切り壁に機器間を接続するコードの余長を巻き付ける余長コード係止フックを有することが好ましい。
また、本発明の請求項７に記載のマルチメディアポート用ボックス（以下、「本発明２のマルチメディアポート用ボックス」と記す）は、少なくともマルチメディアポート用機器が収容されて、壁に取り付けられるマルチメディアポート用ボックスであって、前面側に開口を有し、壁内に嵌り込むように配置される奥側機器収容部と、この奥側機器収容部の前記開口を開閉自在な蓋と、取り付けられる壁から突出して配置され、上部開口の棚状をした前側機器収容部とを有することを特徴としている。
本発明２のマルチメディアポート用ボックスは、蓋が閉状態でその下端部を前側機器収容部に受けられるとともに、蓋の下端部および前側機器収容部の蓋受け部の少なくともいずれか一方に、弾性パッキンが添設されていることが好ましい。また、前側機器収容部が、閉状態で蓋の下端を表面が面一になる状態で受ける蓋受け部材と交換自在になっていてもよい。
【００１２】
本発明において、マルチメディアポート用機器とは、特に限定されないが、たとえば、光コネクタ、電話切換機、ハブ（ＨＵＢ）、ルーター、ＯＮＵ、ＤＳＵ （Digital Service Unit ）やＴＡ（ターミナルアダプタ）、Ｕ ／ Ｖ ・Ｂ Ｓ ・Ｃ Ｓ ブースタなどが挙げられる。
【００１３】
一方、本発明にかかるマルチメディアポートは、上記本発明のマルチメディアポート用ボックスの前側機器収容部にルーター、光回線終端装置が収容され、奥部機器収容部にＨＵＢ，光コネクタが収容されていることを特徴としている。
【発明の効果】
【００１４】
以上のように、本発明１のマルチメディアポート用ボックスは、少なくともマルチメディアポート用機器が収容されて、壁に取り付けられるマルチメディアポート用ボックスであって、機器が収容されるボックス本体と、ボックス本体の前面を覆うカバーとを備え、前記ボックス本体は、取り付けられる壁内に嵌り込むように配置される奥側機器収容部と、取り付けられる壁から突出して配置される前側機器収容部とを有し、奥側機器収容部と前側機器収容部とが収容された機器間を接続可能とする接続用孔が穿設された仕切り壁を介して仕切られているとともに、前側機器収容部の側壁面には、通気孔が穿設されているので、奥側機器収容部を造営面内に埋設しても、室内側の熱気が造営面内に漏れ出ることが少ない。したがって、ボックスの室内側露出部の面積を小さくすることができる。
【００１５】
本発明２のマルチメディアポート用ボックスは、少なくともマルチメディアポート用機器が収容されて、壁に取り付けられるマルチメディアポート用ボックスであって、前面側に開口を有し、壁内に嵌り込むように配置される奥側機器収容部と、この奥側機器収容部の前記開口を開閉自在な蓋と、取り付けられる壁から突出して配置され、上部開口の棚状をした前側機器収容部とを有するので、奥側機器収容部を造営面内に埋設しても、室内側の熱気が造営面内に漏れ出ることが少ない。しかも、前側機器収容部が上部開口の棚状をしているので、前側機器収容部に高発熱の機器を収容しておけば、熱が上部開口から放熱され、奥側機器収容部を造営面内に埋設しても、室内側の熱気が造営面内に漏れ出ることが少ない。したがって、ボックスの室内側露出部の面積を小さくすることができる。
【００１６】
また、本発明２のマルチメディアポート用ボックスおいて、蓋が閉状態でその下端部を前側機器収容部に受けられるとともに、前側機器収容部の蓋の下端を受ける蓋受け部が、前側機器収容部本体との間に２枚の弾性パッキンを介在させた状態で前側機器収容部本体に着脱自在に設けられている構成、あるいは、蓋が閉状態でその下端部を前側機器収容部に受けられるとともに、蓋の下端部および前側機器収容部の蓋受け部に、それぞれ弾性パッキンが添設されている構成とすれば、前側機器収容部に収容される機器と、奥側機器収容部に収容される機器とを接続するコードを２つの弾性パッキン間に挟み込むように挿通することができる。すなわち、弾性パッキンが挿通されたコードの外径に沿うように変形し、蓋を閉じた状態にすれば、奥側機器収容部に室内側からの埃等が侵入しない。しかも、コードの挿通位置を自由に選択できる。
【００１７】
本発明にかかるマルチメディアポートは、本発明のマルチメディアポート用ボックスの前側機器収容部にルーター、光回線終端装置が収容され、奥部機器収容部にＨＵＢ，光コネクタが収容されている構成としたので、小型のボックスを用いて、室内の暖房効率を損なうことなく、見栄えよく家庭内ＬＡＮ配線等のアルチメディア配線を行える。
【発明を実施するための最良の形態】
【００１８】
以下に、本発明を、その実施の形態をあらわす図面を参照しつつ詳しく説明する。
図１および図２は、本発明１のマルチメディアポート用ボックスを用いたマルチメディアポートの１つの実施の形態をあらわしている。
【００１９】
図１および図２に示すように、このマルチメディアポート１ａは、マルチメディアポート用ボックス２ａと、マルチメディアポート用機器としての、ルーター３、ＯＮＵ４、ＨＵＢ５、光コネクタ７、電話切換機８とを備えている。
ボックス２ａは、合成樹脂成形品であるボックス本体となる奥側機器収容部を構成する第１部材２１および前側機器収容部を構成する第２部材２２と、カバー２３と、２つの機器支持部材２４（図２では１つしかあらわしていない）とを備えている。
【００２０】
第１部材２１は、矩形の箱状をした収容部本体２１ａと、収容部本体２１ａの開口縁から外側に全周にわたって張り出すように設けられた鍔部２１ｂとを備え、収容部本体２１ａ内にＨＵＢ５、光コネクタ７、電話切換機８が収容されている。
【００２１】
また、収容部本体２１ａは、箱の底面および長辺側の側壁面にノックアウト２１ｃ，２１ｄが設けられ、短辺側の側壁面に通気孔２１ｅが穿設されている。
ノックアウト２１ｃ，２１ｄは、配線を通す部分のみ抜き取られるようになっている。
【００２２】
第２部材２２は、仕切り壁となる底部２２ａとこの底部２２ａの周囲を囲むように設けられた枠状部２２ｂとからなる矩形の箱状をしていて、箱の下端部が第１部材２１の開口部に嵌合する構造となっている。
底部２２ａは、図２および図３に示すように、ＨＵＢ５、光コネクタ７、電話切換機８に対応する部分にＨＵＢ５、光コネクタ７、電話切換機８の端部がそれぞれ嵌り込む大きさの接続用孔２２ｃ〜２２ｅが穿設されている。
【００２３】
すなわち、底部２２ａの接続用孔２２ｃ〜２２ｅは、ＨＵＢ５、光コネクタ７、電話切換機８の端部が嵌り込むことによって塞がれるため、結果として、第１部材２１の開口部を塞ぎ、第１部材２１内の空気と第２部材２２内の空気とがほぼ流通できないように仕切るようになっている。
また、底部２２ａには、図３に示すように、底部２２ａの周縁側に向かって開口する断面略Ｃ字形をした余長コードＣの係止フック２２ｆが底部２２ａの周縁にそって、間欠的に設けられている。
【００２４】
枠状部２２ｂの使用状態において側壁２２ｇとなる部分には、側壁２２ｇの上下方向に平行な複数の通気孔２２ｈがスリット状に穿設されている。
通気孔２２ｈは、図４に示すように、前側機器収容部である第２部材２２の内側から外側に向かってマルチメディアポート１ａが取り付けられる室内壁Ｗから離れる方向に向かって傾斜して設けられている。
【００２５】
枠状部２２ｂの使用状態において底面２２ｉとなる部分には、後述する機器支持部材２４の固定部兼用となる複数の通気孔２２ｊが底面２２ｉの長手方向に平行なスリット状に穿設されている。
また、通気孔２２ｊは、図７に示すように、第２部材２２の内側から外側にむかってスリット幅が徐々に幅が広がる断面形状に形成されている。
【００２６】
カバー２３は、透明樹脂材料で形成されていて、内部の機器の作動ランプを外側から視認できるようになっている。
【００２７】
機器支持部材２４は、図５に示すように、クランプ部２４ａと、一対の板状脚部２４ｂとを備えている。
クランプ部２４ａは、断面略凵字形をしたレール状をしていて、両側壁２４ｃの内壁面に上端縁にそって係止突条２４ｄが設けられている。
【００２８】
板状脚部２４ｂは、クランプ部２４ａの側壁２４ｃ延長線上に設けられていて、その下端に、通気孔２２ｊの断面形状とほぼ同じ断面形状の嵌合係止部２４ｅを備えているとともに、通気孔２４ｆが多数穿設されている。
また、２つの板状脚部２４ｂの間隔は、通気孔２２ｊのピッチのｎ倍となっている。
【００２９】
そして、この機器支持部材２４は、図６に示すように、ルーター３（あるいはＯＮＵ４）の下端部をクランプ部２４ａの両側壁２４ｃ間に圧入して、ルーター３（あるいはＯＮＵ４）を弾性嵌合状態で係止するとともに、図７に示すように、板状脚部２４ｂの下端部に設けられた嵌合係止部２４ｅを所望の通気孔２２ｊに嵌合させることによって、第２部材２２の所望位置にルーター３（あるいはＯＮＵ４）を第２部材２２の底部２２ａおよび周壁２２ｂから浮き上がった状態で支持固定するようになっている。
【００３０】
このマルチメディアポート１ａは、図４に示すように、室内壁Ｗに第１部材２１の収容部本体２１ａが挿入可能な孔Ｗ１を穿設し、図示していないが、室内壁Ｗの裏側に配線された電力線、通信線、光ファイバーをこの孔Ｗ１から引き出すとともに、所望のノックアウト２１ｃ，２１ｄを抜き取って、収容部本体２１ａ内に引き込み、収容部本体２１ａ内に収容された電源コネクタ５１付きのＨＵＢ５、光コネクタ７、電話切換機８等の機器に接続したのち、鍔部２１ｂが孔Ｗ１の周囲に受けられるまで収容部本体２１ａを孔内に挿入し、第１部材２１を室内壁Ｗに固定する。
【００３１】
つぎに、第２部材２２の所望位置に機器支持部材２４を介してルーター３およびＯＮＵ４を固定するとともに、第１部材２１内の機器とルーター３およびＯＮＵ４とを電源コード、通信線、光ファイバー等によって接続するとともに、図３に示すように、余長コードＣを底部２２ａの周縁部に沿うループ状に係止フック２２ｆに係止させた状態で、底部２２ａが第１部材２１の開口を塞ぐように、第１部材２１に嵌合固定する。
そして、最後に第２部材２２の開口をカバー２３で閉じる。
【００３２】
このマルチメディアポート１ａは、上記のようになっており、以下のような優れた効果を備えている。
【００３３】
すなわち、第１部材２１の収容部本体２１ａが室内壁Ｗ内に嵌め込まれるので、室内壁Ｗから突出して設けられる第２部材２２の大きさを小さくすることができる。
室内壁Ｗ内に嵌め込まれた第１部材２１内の収容部本体２１ａが、底部２２ａを介して室内側と隔離されているので、マルチメディアポート１ａを介して冷暖房された室内の空気が室外に逃げにくくなる。
【００３４】
発熱性の高いルーター３およびＯＮＵ４を第２部材２２の底部２２ａを介して第１部材２１内と仕切った状態で第２部材２２内に収容するとともに、第２部材２２に通気孔２２ｇを設けたので、第２部材２２内の熱気が通気孔２２ｇを介して外部に排気され、第２部材２２内に熱気が籠もらず、第１部材２１内の機器が第２部材２２内の機器の熱気によって傷んだりすることがない。
通気孔２２ｇが第２部材２２の内側から外側に向かって室内壁Ｗから離れる方向に向かって傾斜して設けられているので、図４に示すように、第２部材２２内の熱気が矢印で示すように、室内壁Ｗから遠ざかるように排気される。したがって、排気された熱気が室内壁Ｗに直接当たらない。すなわち、第２部材２２から排気された熱気が室内壁Ｗに直接あたると、室内壁Ｗが黒く変色しやすいが、上記のように直接当たらなくすることによって、室内壁Ｗが黒く変色したりすることを防止することができる。
【００３５】
ルーター３およびＯＮＵ４が機器支持部材２４を介して、壁面から浮いた状態で第２部材２２内に支持固定されるとともに、機器支持部材２４の板状脚部２４ｂに通気孔２２ｊが穿設されているので、ルーター３およびＯＮＵ４がより効率よく冷却される。
底部２２ａに余長コードＣが係止フック２２ｆに係止されて底部２２ａに沿って配線することができるので、見栄え良く配線することができる。コードの余長部分を設けておけば、余長範囲内であれば、ルーター３やＯＮＵ４の交換などの作業を容易に行うことができる。
【００３６】
図８〜図１７は、本発明２のマルチメディアポート用ボックスおよびこのマルチメディアポート用ボックス用いたマルチメディアポートの１つの実施の形態をあらわしている。
【００３７】
図８に示すように、このマルチメディアポート用ボックス２ｂは、奥側機器収容部を構成する第１部材２５および前側機器収容部を構成する第２部材２６と、蓋２７とを備えている。
【００３８】
第１部材２５は、図９〜図１３に示すように、矩形の箱状をした収容部本体２５ａと、収容部本体２５ａの開口縁から外側に全周にわたって張り出すように設けられた鍔部２５ｂとを備え、収容部本体２５ａ内に、例えば、ＨＵＢ５、光コネクタ７、電話切換機８、ブースター９ａ、ＴＶ分配器９ｂ等の機器が収容されるようになっている。
【００３９】
また、収容部本体２５ａは、図９に示すように、箱の底部に複数のノックアウト２５ｃが設けられ、図示していないが、所望のノックアウト２５ｃを抜き取って、形成された孔から上記のマルチメディアポート用ボックス２ａと同様に室内壁Ｗの裏側に配線された電力線、通信線、光ファイバーを収容部本体２５ａ内に引き込み、収容部本体２５ａ内に収容されたＨＵＢ５、光コネクタ７、電話切換機８、ブースター９ａ、ＴＶ分配器９ｂ等の機器に接続されるようになっている。
なお、各ノックアウト２５ｃに臨むように収容部本体２５ａ内に収容されるＨＵＢ５、光コネクタ７、電話切換機８、ブースター９ａ、ＴＶ分配器９ｂ等の機器は、収容部本体２５ａ内に設けられたボス２５ｄに支持されて、ノックアウト２５ｃとの間に空間が形成されるようになっている。
【００４０】
一方、鍔部２５ｂには、上部リブ２５ｅおよび側部リブ２５ｆが前面側に向かって突出するように設けられている。
上部リブ２５ｅには、後述する蓋２７の係止爪２７ｅが係合する係合孔２５ｇが設けられている。
また、第１部材２５の下端両側に鍔部２５ｂの内縁に沿うように、略Ｌ字形をした第２部材２６の受部２５ｈが設けられ、この受部２５ｈのＬ字の縦横辺にそれぞれ１つずつ第２部材２６の固定ねじ２６ｋが螺合するねじ孔部を鍔部２５ｂから第２部材２６側に突設させるようにねじ受け金具２５ｉが固定されている。
【００４１】
第２部材２６は、図８、図１１〜図１４に示すように、部材本体２６ａと、蓋受部２６ｂとを備えている。
部材本体２６ａは、矩形をした底面部２６ｃと、この底面部２６ｃの両側から立ち上がる２つの側面立上壁部２６ｄと、底面部２６ｃの前面側で立ち上がる前面立上壁部２６ｅとを有する平面視略コ字形をした立上壁２６ｆとを備え、上部および後壁側（奥側機器収容部側）が開放されている棚状をしている。
側面立上壁部２６ｄの上面には、図１３および図１４に示すように、後壁側に後述する蓋２７の係止爪２７ｅが係合する係合孔２６ｇが穿設されている。
【００４２】
蓋受部２６ｂは、図８、図１１、図１２および図１４に示すように、上記底面部２６ｃの後壁側端縁に沿って正面視略門形をした４つの弾性パッキン保持部材２６ｈを、内側に天然ゴム、クロロプレンゴム、エチレンプロピレンゴム、又はそれらの発泡体等で形成された２つの四角柱状あるいは板状をした弾性パッキン２６ｉ、２６ｉを包含した形でねじ２６ｊによって固定することによって形成されている。
【００４３】
蓋２７は、図８で見て上部が第１部材２５の鍔部２５ｂと同じ幅の幅広部２７ａ、下部が上記側面立上壁部２６ｄ間の距離と同じ幅にされた狭小部２７ｂとなった蓋本体部２７ｃと、この蓋本体部２７ｃの幅広部２７ａの周縁から延出するフランジ部２７ｄとを備えている。
フランジ部２７ｄの係合孔２５ｇに対応する部分には、図１１、図１３に示すように、それぞれ係止爪２７ｅが突設されている。
【００４４】
そして、このマルチメディアポート１ｂは、まず、第１部材２５の収容部本体２５ａ内に図９に示すように、ＨＵＢ５、光コネクタ７、電話切換機８、ブースター９ａ、ＴＶ分配器９ｂ等の各機器を収容し、かつ、図示していないが、所望のノックアウト２５ｃを抜き取って形成された孔から、室内壁Ｗの裏側に配線された電力線、通信線、光ファイバーを収容部本体２５ａ内に引き込み、収容部本体２５ａ内に収容されたＨＵＢ５、光コネクタ７、電話切換機８、ブースター９ａ、ＴＶ分配器９ｂ等の機器に接続するとともに、第２部材２６の所定部分を受部２５ｈに受けさせた状態で、図１１および図１２に示すように、固定ねじ２６ｋを第２部材２６の側面立上壁部２６ｄおよび底面部２６ｃに設けられたねじ通孔を介して金具２５ｉのねじ孔にねじ込んで第２部材２６を第１部材２５に固定する。
なお、第１部材２５と第２部材２６との接続は、各機器を収容部本体２５ａ内に収容する前、収容後のいずれのタイミングでも構わない。
【００４５】
そして、マルチメディアポート１ａと同様に、第１部材２５を室内壁Ｗに固定するとともに、図１４に示すように、蓋受部２６ｂのいずれかの弾性パッキン２６ｉと弾性パッキン２６ｉとの間から第１部材２５に接続されたコードＣを引き出した状態にする。
なお、コードＣは、図１５（ａ）に示すように、ねじ２６ｊを緩めて弾性パッキン保持部材２６ｈおよび上側の弾性パッキン２６ｉを持ち上げて取り外したのち、図１５（ｂ）に示すように、収容部本体２５ａから第２部材２６側に引き出し、コードＣの一部を下側の弾性パッキン２６ｉの上に載せた状態で上方から上側の弾性パッキン２６ｉおよび弾性パッキン保持部材２６ｈを被せてねじ２６ｊを底面部２６ｃにねじ込むことによって、第２部材２６側に引き出された状態で保持される。
【００４６】
つぎに、図１２および図１３に示すように、蓋２７の係止爪２７ｅが係合孔２５ｇに係合されるまで、図１４に示すように、蓋２７を第１部材２５に沿って下方にスライドさせて、収容部本体２５ａの前面を蓋２７で覆う。
最後に、図１６に示すように、第２部材２６の底面部２６ｃにルーター３およびＯＮＵ４を載置し、これらに引き出したコードＣを接続することによって本発明のマルチメディアポート１ｂが得られる。
【００４７】
このようにして得られたマルチメディアポート１ｂは、第１部材２５の収容部本体２５ａが室内壁Ｗ内に嵌め込まれるので、室内壁Ｗから突出して設けられる第２部材２６の大きさを小さくすることができる。
室内壁Ｗ内に嵌め込まれた第１部材２５の収容部本体２５ａ内部が、蓋２７を介して室内側と隔離されているので、マルチメディアポート１ｂを介して冷暖房された室内の空気が室外に逃げにくくなる。
【００４８】
発熱性の高いルーター３およびＯＮＵ４を上部が開放された前側機器収容部である第２部材２６の底面部２６ｃに載置するようにしたので、ルーター３およびＯＮＵ４等の熱気が籠もらず、第１部材２５内の機器が第２部材２６側の機器の熱気によって傷んだりすることがない。
また、第２部材２６の底面部２６ｃにルーター３およびＯＮＵ４等の機器が載置されている状態でも蓋２７は、仕切り板は、真上に引き上げ、取外すことができる。したがって、収容部本体２５ａ内の機器の確認が容易である。
【００４９】
第１部材２５から第２部材２６側へ引き出されるコードＣが、２つの弾性パッキン２６ｉによって上下方向から挟まれて、弾性パッキン２６ｉがコードＣの周面に添うように弾性変形するので、コードＣの引き出し部に隙間がまったくない。したがって、蓋２７を閉じれば、室内側と収容部本体２５ａ内とをほぼ通気不可状態に隔絶することができる。
また、上下の弾性パッキン２６ｉが四角柱状あるいは板状であるので、上下弾性パッキン２６ｉに挟まれたコードＣを弾性パッキン２６ｉの長手方向に移動させることができ、コードＣの配線が容易にできる。
【００５０】
さらに、第２部材２６は上部が開放されていて、棚状になっているので、収容した機器全体を覆うようなものに比べて製造コストを低減することができる。
また、第２部材２６が第１部材２５から取り外せるので、第２部材２６を取り外し、図１７に示すように、第２部材２６の代わりに蓋受け部材２８を取り付ければ、第１部材２５のみをボックスとして使用できる。
【００５１】
図１８は、本発明２のマルチメディアポート用ボックスを用いたマルチメディアポートの他の実施の形態をあらわしている。
図１８に示すように、このマルチメディアポート１ｃは、マルチメディアポート用ボックス２ｃが以下のようになっている以外は、上記のマルチメディアポート１ｂと同様になっている。
【００５２】
すなわち、マルチメディアポート用ボックス２ｃは、弾性パッキン保持部材を用いず、蓋受部となる第２部材２６の底面部２６ｃに第２部材２６の底面部２６ｃの全幅に渡って弾性パッキン２６ｉが両面粘着テープで固定され、蓋２７の下端縁に沿ってもう一方の弾性パッキン２６ｉが両面粘着テープで固定されている。
したがって、蓋２７を閉じることによって、コードＣが容易に弾性パッキン２６ｉ間に挟まれた状態で保持される。
【００５３】
本発明は、上記の実施の形態に限定されない。たとえば、上記本発明１の実施の形態では、仕切り板が第２部材に一体に設けられていたが、仕切り板を第２部材の周壁部分に着脱自在に設けるようにしても構わない。
上記本発明１の実施の形態では、カバー２３を透明樹脂材料で形成することによって、内部の機器の作動ランプを外側から視認できるようにしていたが、通気孔を介して内部の機器の作動ランプを外側から視認できれば、カバーは不透明な材料で形成されていても構わない。
【００５４】
上記本発明１の実施の形態では、第２部材内にルーターおよびＯＮＵが収容されていたが、その他の機器も収容しても構わない。たとえば、第２部材内に上記ルーターおよびＯＮＵを冷却する冷却ファンを設けるようにしても構わない。
上記本発明１の実施の形態では、第２部材の枠状部の底面に通気孔を設け、この通気孔が機器支持部材の固定部を兼ねるようになっていたが、底面に別に嵌合凹部等の固定部を設けるようにしても構わない。
【００５５】
上記本発明２の実施の形態では、第２部材に通気孔が設けられていなかったが、立上壁や底面部に通気孔を形成するようにしても構わない。
【図面の簡単な説明】
【００５６】
【図１】本発明１のマルチメディアポート用ボックスを用いたマルチメディアポートの１つの実施の形態をあらわす斜視図である。
【図２】図１のマルチメディアポートの分解斜視図である。
【図３】仕切り板の余長コードの処理状態を説明する仕切り板部分の正面図である。
【図４】側壁の通気孔を説明する断面図である。
【図５】機器支持部材を説明する図であって、同図（ａ）はその正面図、同図（ｂ）はその側面図である。
【図６】機器支持部材に機器を支持させた状態を説明する図であって、同図（ａ）はその正面図、同図（ｂ）はその側面図である。
【図７】機器支持部材の板状脚部下端と、底部通気孔との嵌合状態を説明する断面図である。
【図８】本発明２のマルチメディアポート用ボックスの１つの実施の形態をあらわす斜視図である。
【図９】図８のマルチメディアポート用ボックスの第１部材の収容部本体に機器を収容した状態の斜視図である。
【図１０】図８のマルチメディアポート用ボックスの正面図である。
【図１１】図８のマルチメディアポート用ボックスの第１部材の収容部本体に機器を収容した状態の図１０のＢ−Ｂ線断面図である。
【図１２】図８のマルチメディアポート用ボックスの第１部材の収容部本体に機器を収容した状態の図１０のＣ−Ｃ線断面図である。
【図１３】図８のマルチメディアポート用ボックスの第１部材の収容部本体に機器を収容した状態の図１０のＤ−Ｄ線断面図である。
【図１４】図８のマルチメディアポート用ボックスの蓋を閉じる途中の状態をあらわす斜視図である。
【図１５】図８のマルチメディアポート用ボックスの第１部材の収容部本体側からコードを引き出し固定する工程を説明する説明図である。
【図１６】図８のマルチメディアポート用ボックスを用いたマルチメディアポート用ボックスの１例をあらわす斜視図である。
【図１７】図８のマルチメディアポート用ボックスの第２部材を取り除いて、蓋受け部材を取り付けた状態の使用状態をあらわす斜視図である。
【図１８】本発明２のマルチメディアポート用ボックスの他の実施の形態をあらわす斜視図である。
【図１９】従来のマルチメディアポートの取り付け状態の１例をあらわす斜視図である。
【符号の説明】
【００５７】
１ａ，１ｂ、１ｃ  マルチメディアポート
２ａ，２ｂ、２ｃ  マルチメディアポート用ボックス
２１  第１部材（ボックス本体の奥側機器収容部）
２２  第２部材（ボックス本体の前側機器収容部）
２２ａ  底部（仕切り壁）
２２ｃ〜２２ｅ  接続用孔
２２ｆ  余長コード係止フック
２２ｇ  側壁
２２ｈ  通気孔
２２ｉ  通気孔（固定部）
２３  カバー
２４  機器支持部材
２４ａ  クランプ部
２４ｂ  板状脚部
２４ｅ  嵌合係止部
２４ｆ  通気孔
２５  第１部材（奥側機器収容部）
２６  第１２部材（前側機器収容部）
２６ｂ  蓋受け部
２６ｉ  弾性パッキン
２７  蓋
２８  蓋受け部材
３  ルーター（マルチメディアポート用機器）
４  ＯＮＵ（マルチメディアポート用機器）
５  ＨＵＢ（マルチメディアポート用機器）
７  光コネクタ（マルチメディアポート用機器）
８  電話切換機（マルチメディアポート用機器）
９ａ  ブースター（マルチメディアポート用機器）
９ｂ  ＴＶ分配器（マルチメディアポート用機器）
Ｃ  コード
Ｗ  室内壁（取り付けられる壁）
【図１】
0004866330.tif 000002
【図２】
0004866330.tif 000003
【図３】
0004866330.tif 000004
【図４】
0004866330.tif 000005
【図５】
0004866330.tif 000006
【図６】
0004866330.tif 000007
【図７】
0004866330.tif 000008
【図８】
0004866330.tif 000009
【図９】
0004866330.tif 000010
【図１０】
0004866330.tif 000011
【図１１】
0004866330.tif 000012
【図１２】
0004866330.tif 000013
【図１３】
0004866330.tif 000014
【図１４】
0004866330.tif 000015
【図１５】
0004866330.tif 000016
【図１６】
0004866330.tif 000017
【図１７】
0004866330.tif 000018
【図１８】
0004866330.tif 000019
【図１９】
0004866330.tif 000020